(57)【要約】      （修正有）【課題】ＯＡ機器を使用するデスクにおいて使用するＯＡ機器の配線を処理するデスクの配線受け装置に関し、通常の使用状態では外れることがなく、それでいて、配線受けの着脱が簡単容易で、しかも、配線処理の自由度を確保する、デスクの配線受け装置を提供する。【解決手段】デスクの幕板１上端部に左右方向に渡って配線受け２の係合部３０を設け、係合部３０に係脱自在な係止部３を配線受け２の上端部に設けたデスクの配線受け装置において、係合部３０は、配線受け２の係止部３に形成された係止突片３２が後方側から係止する係合突片１４を有し、係止部３は、係合突片１４に係止突片３２が係止した状態で、幕板１の基板１１前面に弾性的に当接し、常に、係止突片３２の係止状態が維持される方向の付勢力を配線受け２に付与する弾性脚部３３を有する。【選択図】図７
2014233456.tif 000002
【特許請求の範囲】
【請求項１】
デスクの幕板上端部に左右方向に渡って設けられた係合部と、係合部に係脱自在な係止部を備えた配線受けとからなる配線受け装置において、係合部は、配線受けの係止部に形成された係止突片が後方側から係止する係合突片を有し、係止部は、配線受けの上端部に設けられ、前記係合突片に係止突片が係止した状態で、幕板の基板前面に弾性的に当接し、常に、係止突片の係止状態が維持される方向の付勢力を配線受けに付与する弾性脚部を有する事を特徴とするデスクの配線受け装置。
【請求項２】
弾性脚部は係止突片の後方側で、上端部が係止突片の上方に突出して形成され、幕板の上面板間に所定の間隙を有する事を特徴とする請求項１に記載のデスクの配線受け装置。
【請求項３】
配線受けは、前記係合突片として機能する係合孔と、係止突片と弾性脚部が下方から嵌入可能な係止突片嵌入孔と弾性脚部嵌入孔を、下端後端部に有する事を特徴とする請求項２に記載のデスクの配線受け装置。
【請求項４】
係止突片と係合突片を係脱させるため、指先の感覚で認識可能な操作位置表示部が、係止突片の所定寸法下方に設けられている事を特徴とする請求項４に記載のデスクの配線受け装置。
【発明の詳細な説明】
【技術分野】
【０００１】
本発明は、ＯＡ機器を使用するデスクに係り、特にデスクにおいて使用するＯＡ機器の配線を処理するデスクの配線受け装置に関するものである。
【背景技術】
【０００２】
デスクの天板上にＯＡ機器を載置して使用する場合、床に導かれる電源ケーブルや、機器間を継ぐＬＡＮケーブル等、多数のケーブル類が必要となる。
そして、これらのケーブルが、天板上、あるいはデスクまわりに錯綜して美感を損ねるだけでなく、通行の邪魔になるなど、執務環境を悪くしていた。
このような、ケーブル類を整然と配線できるよう配線処理機能が付いたデスクとして、デスクの天板下方に配線受けを設け、この配線受けに余長ケーブルやコンセント類を載置するようにしたものが知られている。（例えば特許文献１、特許文献２）
【０００３】
特許文献１に記載のものは、デスクの左右の脚間または脚間を継ぐ幕板に該幕板とは別体に構成された受枠を設置し、この受枠に断面略Ｕ字形の桶状の配線受けを係着させるようにしたものである。さらに配線受けを着脱自在、移動自在に施すことにより、配線受けの数を増減させることが可能となり、ケーブル量や配線パターンに応じて柔軟に対応することができる。
しかしながら、このような構造の場合、配線受けに下方からの外力が加わったとき上方に外れやすく、デスクの使用者が誤って配線受けを蹴り上げたりすると簡単に外れてしまい、配線の整理をし直す必要が生じて煩わしいうえ、デスクの幕板とは別体の受け枠を幕板に取り付ける必要があるので、コストアップとなるなどの問題がある。
【０００４】
又、特許文献２に記載のものは、幕板の両端部に平面視Ｌ形状をなして固設される垂直な取付板を有する取付部を設け、この取付部の取付板に樹脂製の配線受けを係合させて上下動不能に取り付け、配線受けに下方からの外力が加わっても外れることがないようにしたものである。
しかし、この構造によるものでは、前記特許文献１のケーブル量や配線パターンに柔軟に対応し得るという利点は失われ、使いにくいものになるという弊害をもたらす。
【先行技術文献】
【特許文献】
【０００５】
【特許文献１】特公昭平７−７３５３９号公報
【特許文献２】特許第２９０６３２４号公報（図６）
【発明の概要】
【発明が解決しようとする課題】
【０００６】
本発明は、通常の使用状態では外れることがなく、それでいて、配線受けの着脱が簡単容易で、しかも、配線処理の自由度を確保する、デスクの配線受け装置を提供することを課題とする。
【課題を解決するための手段】
【０００７】
上記課題を解決する為、本発明が第１の手段として構成したところは、デスクの幕板上端部に左右方向に渡って設けられた係合部と、係合部に係脱自在な係止部を備えた配線受けとからなる配線受け装置において、係合部は、配線受けの係止部に形成された係止突片が後方側から係止する係合突片を有し、係止部は、配線受けの上端部に設けられ、前記係合突片に係止突片が係止した状態で、幕板の基板前面に弾性的に当接し、常に、係止突片の係止状態が維持される方向の付勢力を配線受けに付与する弾性脚部を有するものである。
【０００８】
次に本発明が第２の手段として構成したところは、第１の手段に加え、弾性脚部は係止突片の後方側で、上端部が係止突片の上方に突出して形成され、幕板の上面板間に所定の間隙を有するものである。
【０００９】
次に本発明が第３の手段として構成したところは、第２の手段に加え、配線受けは、前記係合突片として機能する係合孔と、係止突片と弾性脚部が下方から嵌入可能な係止突片嵌入孔と弾性脚部嵌入孔を、下端後端部に有するものである。
【００１０】
次に本発明が第４の手段として構成したところは、第３の手段に加え、係止突片と係合突片を係脱させるため、指先の感覚で認識可能な操作位置表示部が、係止突片の所定寸法下方に設けられているものである。
【発明の効果】
【００１１】
本発明の第１の手段として構成したところによると、係合突片に係止突片が係止した状態で、弾性脚部が幕板の基板前面に弾性的に当接し、常に、係止突片の係止状態が維持される方向に付勢力を付与しているので、通常の使用状態では容易に外れることがない。又、弾性脚部を幕板の基板前面に強制的押し付けて、弾性変形させた状態で上方に移動させ、強制力を解除すれば、係止突片は自然に係合突片に係止するので、配線受けの取り付け作業が簡単容易である。又、前述と逆の操作をすれば、配線受けを簡単に取り外すこともできる。
【００１２】
本発明の第２の手段として構成したところによると、弾性脚部は係止突片の後方側で、上端部が係止突片の上方に突出して形成され、幕板の上面板間に所定の間隙を有しているので、配線受けを取り付ける作業に置いて、所定位置まで持ち上げれば、幕板の上面板の下面に弾性脚部の上端面が当接するので、必要以上に配線受けを持ち上げる必要がなく、この状態で指先の負荷を解除すれば、係止突片は自然に係合突片に係止するので、配線受けの取り付け作業が容易である。
又、デスクの使用者が誤って配線受けを蹴り上げたりしても、弾性脚部の上端面が幕板の上面板の下面に当接するので、配線受けが幕板から簡単に脱落することがない。
【００１３】
本発明の第３の手段として構成したところによると、配線受けは、前記係合突片として機能する係合孔と、係止突片と弾性脚部が下方から嵌入可能な係止突片嵌入孔と弾性脚部嵌入孔を下端後端部に有しているので、幕板に取り付けられた配線受けの下側に別の配線受けを簡単に取り付けることができる。
【００１４】
本発明の第４の手段として構成したところによると、指先の感覚で認識可能な操作位置表示部を設けているので、照明の光が届きにくい場所、時間であっても、指先の間隔だけで配線受けを取り外すことが容易である。
【図面の簡単な説明】
【００１５】
【図１】配線受けの正面図である。
【図２】配線受けの右側面図である。
【図３】配線受けの平面図である。
【図４】配線受けの底面図である。
【図５】図１のＡ−Ａ線拡大断面図である。
【図６】図１のＢ−Ｂ線拡大断面図である。
【図７】配線受けを幕板に取り付けた状態の要部拡大断面図である。
【図８】上下２段に配線受けを幕板に取り付けた状態の要部拡大断面図である。
【発明を実施するための形態】
【００１６】
デスクの幕板上端部に、左右方向に渡って配線受けの係合部を設け、係合部に係脱自在な係止部を配線受けの上端部に設けたデスクの配線受け装置において、係合部は、配線受けの係止部に形成された係止突片が後方側から係止する係合突片を有し、係止部は、係合突片に係止突片が係止した状態で、幕板の基板前面に弾性的に当接し、常に、係止突片の係止状態が維持される方向の付勢力を配線受けに付与する弾性脚部を有し、弾性脚部は係止突片の後方側で、上端面が係止突片の上方に突出して形成され、幕板の上面板間に所定の間隙を有し、配線受けは、前記係合突片として機能する係合孔と、係止突片と弾性脚部が下方から嵌入可能な係止突片嵌入孔と弾性脚部嵌入孔を、下端後端部に有し、係止突片と係合突片を係脱させるため、指先の感覚で認識可能な操作位置表示部が、係止突片の所定寸法下方に設けられているものである。
【実施例】
【００１７】
以下、実施例を添付図面に基づいて詳述する。
図６、図７において符号１は、所定寸法の高さと幅を有し、デスクの左右脚体の後端部間で、天板の下方に位置して配設された幕板を示し、符号２は幕板１に着脱自在に設けられた配線受けを示している。
幕板１は、所定寸法の高さと幅を有する基板１１と、基板１１の上端に連設され、配線受け２が着脱自在に係合する係合部３０と、基板１１の左右端部に前方に突出して連設され、左右脚体の内面と連結される連結片部（図示せず。）等より構成されている。
【００１８】
係合部３０は、基板１１の上端から前方に所定寸法突出する上面板１２と、上面板１２の前端から下方に所定寸法突出する下向き前面板１３と、下向き前面板１３の下端から基板１１方向に所定寸法突出し、後端と基板１３の前面間に係合用挿入溝１５が形成された係合突片１４より形成されている。
【００１９】
配線受け２は、前後方向に所定の寸法を有する底片部２１と、底片部２１の前端部で所定寸法上方に突出する左右前片部２２、２２と、底片部２１の左右端部で所定寸法やや上方に突出する左右前後片部２３、２３、２４、２４と、底片部２１の後端部に形成された後端突出片部２５の前端から上方に起立する後片部２６と、後片部２６左右上端部に位置する係止部３、３より、合成樹脂材にて一体に構成されている。
【００２０】
底片部２１は、左右端部側の前後方向中央部に、前記左前後片部２３、２３間、右前後片部２４、２４間側が開口し、上下方向に貫通する余剰ケーブルの左右巻きつけ孔２７、２７と、前端部側の左右方向中央部に前記左右前片部２２、２２間側が開口し、上下方向に貫通する余剰ケーブルの前巻きつけ孔２８を有している。
符号２１１・・・は材料の削減と、部材の軽量化のために設けられた抜き孔を示し、符号２１２は、底片部２１を補強するための補強リブを示している。
【００２１】
係止部３、３は、左右同形に構成されているので一方側についてのみ説明する。係止部３は、後片部２６の上端に連設されて上方に突出する起立片３１と、起立片３１の上端に連設され、所定寸法前方に突出して前記係合突片１４に後方から係止する係止突片３２と、起立片３１の左右に近接し、かつ、起立片３１と独立して弾性変位可能に形成された弾性脚部３３、３３を有している。
【００２２】
弾性脚部３３は、起立片３１の後方側に所定寸法（係止突片３２の前端と弾性脚部３３の後端面間の寸法が、少なくとも、前記係合用挿入溝１５の前後寸法より大きい寸法）突出し、係合突片１４に係止突片３２が係止した状態で、後面が幕板１の基板１１前面に弾性的に当接し、常に、係止突片３２の係止状態が維持される方向の付勢力を配線受け２に付与すると共に、上端面が係止突片３２の上方に突出し、幕板１の上面板１２間に所定の間隙を有するものである。
【００２３】
後片部２６は、起立片３１が位置する下方の下端部で、底片部２１と接する箇所に、左右方向及び高さ方向で係止突片３２よりやや大き目で、後方から係止突片３２が係合可能な係合孔２６１を有し、係合孔２６１の上方で、起立片３１が位置するやや下方に、係止突片３２を弾性脚部３３の弾性に抗して、後方に移動させ、係合突片１４から逸脱させるための前後方向に貫通する操作位置表示部２６２を有している。
尚、操作位置表示部２６２は、実施例では前後方向に貫通する長孔としているが、突起状の段部であっても良く、指先の感覚で操作位置が認識でき、操作に支障をきたさない形状であれば良い。
【００２４】
後端突出片部２５は、後片部２６に形成された係合孔２６１と左右方向の同一位置に、別の配線受け２の係止突片３２が下方から嵌入可能で、係合孔２６１に連続する係止突片嵌入孔２５１と、係止嵌入孔２５１の左右側に、下方から弾性脚部３３、３３が嵌入する弾性脚部嵌入孔２５２、２５２を有している。
尚、符号２５３・・・は、後端突出部２５を補強するための補強側壁を示している。
【００２５】
本発明は以上の如く構成され、配線受け２を幕板１に取り付けるときは、弾性脚部３３・・・の弾性に抗して、配線受け２の後片部２６を幕板１の基板１１の前面に押し付けながら、係合部３の係合用挿入溝１５内を弾性脚部３３・・・と係止突片３２、３２（係止部３、３）を通過させ、弾性脚部３３、３３の上端を上面板１２の下面に当接するまで上方に移動させる。そして、当接した状態で押し付け力を解除すると、弾性脚部３３、３３の弾性復帰によって、配線受け部２は前側に移動し、係止突片３２、３２は係合突片１４に係止し、前方に付勢されているので、不用意に係止状態を逸脱することはない。
【００２６】
上記のように幕板１に取り付けられた配線受け２の下方にさらに別の配線受け２を取り付けるときは、取り付けられた配線受け２の弾性脚部嵌入孔２５２・・・に弾性脚部３３
・・・を下方より差し入れ、次に、上記同様、弾性脚部３３・・・の弾性に抗して、配線受け２の後片部２６を幕板１の基板１１の前面方向に押し付けながら、上方に移動させたのち、押し付け力を解除すると、係止突片３２、３２は、前側に移動し係止嵌入孔２５１から係合孔２６１，２６１に係合し、弾性脚部３３・・・によって、前方に付勢されているので、不用意に係合状態を逸脱することはない。
【００２７】
一方、幕板１から配線受け２を取り外す時、あるいは、幕板１に取り付けられた配線受け２の下方から別の配線受け２を取り外すときは、指先で操作位置表示部２６２，２６２を探り、其の位置で後片部２６を幕板１側に押しやり、係合突片１４、係合孔２６１、２６１から係止突片３２、３２を逸脱させ、疎に状態を維持しながら、配線受け２を下方に引き下げて取り外す。
【００２８】
天板上の機器に配線処理が行われたケーブルは、天板上から配線受け２に導かれ、さらに、隣の配線受け２から、天板上の機器に配線処理が行われるなどしてケーブルが散乱しないよう処理される。
又、余剰ケーブルは、左右巻きつけ孔２７、２７間、あるいは、前巻きつけ孔２８と左右巻きつけ孔２７、２７間に巻きつけて適当な長さとした後、天板上、他の配線受け２等に導かれる
【産業上の利用可能性】
【００２９】
以上のように、本発明は、配線処理を行ったあとの余剰ケーブルの収納、あるいは床面からの給電、あるいは他の機器への横配線だけでなく、収納家具、ラック等への適用も可能であり、広く利用することができる。
【符号の説明】
【００３０】
１        幕板
１１      基板
１２      上面板
１４      係合突片
２        配線受け  
２５      後端突出部
２５１    係止嵌入孔
２５２    弾性脚部嵌入孔
２６      後片部
２６１    係合孔
２６２    操作位置表示部  
３        係止部
３０      係合部
３２      係止突片
３３      弾性脚部  
【図１】
2014233456.tif 000003
【図２】
2014233456.tif 000004
【図３】
2014233456.tif 000005
【図４】
2014233456.tif 000006
【図５】
2014233456.tif 000007
【図６】
2014233456.tif 000008
【図７】
2014233456.tif 000009
【図８】
2014233456.tif 000010